(57)【要約】【課題】ループスルー機能を有する受信装置において、受信した信号を高品質の状態で外部に出力するとともに消費電力の抑制を可能にする。【解決手段】受信装置１０において、入力端子１には、高周波の受信信号が入力される。出力端子２は、入力端子１から入力された受信信号の少なくとも一部を後段の受信装置１６に出力するとともに、後段の受信装置１６から外部電源電圧Ｖａの供給を受けるために設けられる。第１の信号経路ＭＳＰは、入力端子１から信号処理回路５に至る信号経路である。第２の信号経路ＬＴＰ１は、入力端子の位置でまたは入力端子よりも信号処理回路寄りの位置で第１の信号経路と接続され、受信信号の少なくとも一部を出力端子に伝送させるために設けられる。第１の高周波増幅器３は、第２の信号経路ＬＴＰ１上に設けられ、出力端子２を介して受けた外部電源電圧Ｖａによって動作する。【選択図】図１
2013009226.tif 000002
【特許請求の範囲】
【請求項１】
高周波の受信信号が入力される入力端子と、
前記入力端子から入力された前記受信信号の少なくとも一部を後段の受信装置に出力するとともに、前記後段の受信装置から外部電源電圧の供給を受けるための出力端子と、
前記受信信号の少なくとも一部を受けて信号処理を行なう信号処理回路と、
前記信号処理回路を駆動するための内部電源電圧を生成する電源回路と、
前記入力端子から前記信号処理回路に至る第１の信号経路と、
前記入力端子の位置でまたは前記入力端子よりも前記信号処理回路寄りの位置で前記第１の信号経路と接続され、前記受信信号の少なくとも一部を前記出力端子に伝送させるための第２の信号経路と、
前記第２の信号経路上に設けられ、前記出力端子を介して受けた前記外部電源電圧によって動作する第１の高周波増幅器とを備えた受信装置。
【請求項２】
前記第２の信号経路上に設けられ、非導通状態のときに前記第２の信号経路を介した信号の伝送を遮断する第１のスイッチ部をさらに備える、請求項１に記載の受信装置。
【請求項３】
前記出力端子から前記第１の高周波増幅器への前記外部電源電圧の供給経路上に設けられ、非導通状態のときに前記第１の高周波増幅器への前記外部電源電圧の供給を遮断する第２のスイッチ部をさらに備える、請求項１または２に記載の受信装置。
【請求項４】
前記第１および第２の信号経路の接続点よりも前記信号処理回路寄りの位置で前記第１の信号経路と接続され、前記受信信号のうち前記信号処理回路に供給された残余の少なくとも一部を前記出力端子に伝送させるための第３の信号経路と、
前記第１および第２の信号経路の接続点と前記第１および第３の信号経路の接続点との間の前記第１の信号経路上に設けられ、前記内部電源電圧で動作する第２の高周波増幅器とを備える、請求項１〜３のいずれか１項に記載の受信装置。
【請求項５】
前記第１および第２の信号経路の接続点と前記第１および第３の信号経路の接続点との間の前記第１の信号経路上に設けられ、非導通状態のときに前記信号処理回路および前記第３の信号経路への前記受信信号の供給を遮断する第３のスイッチ部をさらに備える、請求項４に記載の受信装置。
【請求項６】
前記第２の信号経路と並列に設けられ、いかなる高周波増幅器も介さずに前記受信信号を前記入力端子から前記出力端子に伝送させるための第４の信号経路をさらに備える、請求項１〜４のいずれか１項に記載の受信装置。
【請求項７】
前記第４の信号経路上に設けられ、非導通状態のときに前記第４の信号経路を介した信号の伝送を遮断する第４のスイッチ部をさらに備える、請求項６に記載の受信装置。
【請求項８】
前記第１のスイッチ部は、前記外部電源電圧の供給を受けているか否かに基づいて導通状態または非導通状態に切替わる、請求項２に記載の受信装置。
【請求項９】
前記第１のスイッチ部は、さらに、前記電源回路から前記内部電源電圧が出力されているか否に基づいて導通状態または非導通状態に切替わる、請求項８に記載の受信装置。
【請求項１０】
前記第２のスイッチ部は、前記外部電源電圧の供給を受けているか否かに基づいて導通状態または非導通状態に切替わる、請求項３に記載の受信装置。
【請求項１１】
前記第２のスイッチ部は、さらに、前記電源回路から前記内部電源電圧が出力されているか否かに基づいて導通状態または非導通状態に切替わる、請求項１０に記載の受信装置。
【請求項１２】
前記第３のスイッチ部は、前記電源回路から前記内部電源電圧が出力されているか否かに基づいて導通状態または非導通状態に切替わる、請求項５に記載の受信装置。
【請求項１３】
前記第４のスイッチ部は、前記外部電源電圧の供給を受けているか否かに基づいて導通状態または非導通状態に切替わる、請求項７に記載の受信装置。
【請求項１４】
前記第４のスイッチ部は、さらに、前記電源回路から前記内部電源電圧が出力されているか否に基づいて導通状態または非導通状態に切替わる、請求項１３に記載の受信装置。
【請求項１５】
前記受信装置は、さらに、
前記第２の信号経路上に設けられ、非導通状態のときに前記第２の信号経路を介した信号の伝送を遮断する第１のスイッチ部と、
前記出力端子から前記第１の高周波増幅器への前記外部電源電圧の供給経路上に設けられ、非導通状態のときに前記第１の高周波増幅器への前記外部電源電圧の供給を遮断する第２のスイッチ部と、
前記第１および第２の信号経路の接続点よりも前記信号処理回路寄りの位置で前記第１の信号経路と接続され、前記受信信号のうち前記信号処理回路に供給された残余の少なくとも一部を前記出力端子に伝送させるための第３の信号経路と、
前記第１および第２の信号経路の接続点と前記第１および第３の信号経路の接続点との間の前記第１の信号経路上に設けられ、前記内部電源電圧で動作する第２の高周波増幅器と、
前記第１および第２の信号経路の接続点と前記第１および第３の信号経路の接続点との間の前記第１の信号経路上に設けられ、非導通状態のときに前記信号処理回路および前記第３の信号経路への前記受信信号の供給を遮断する第３のスイッチ部と、
前記第２の信号経路と並列に設けられ、いかなる高周波増幅器も介さずに前記受信信号を前記入力端子から前記出力端子に伝送させるための第４の信号経路と、
前記第４の信号経路上に設けられ、非導通状態のときに前記第４の信号経路を介した信号の伝送を遮断する第４のスイッチ部とを備え、
前記電源回路から前記内部電源電圧が出力されておらず、かつ、前記外部電源電圧の供給を受けている場合には、前記第１および第２のスイッチ部が導通状態になるともに、前記第３および第４のスイッチ部が非導通状態になり、
前記電源回路から前記内部電源電圧が出力されておらず、かつ、前記外部電源電圧の供給を受けていない場合には、前記第１および第３のスイッチ部が非導通状態になるとともに、前記第４のスイッチ部が導通状態になり、
前記電源回路から前記内部電源電圧が出力されている場合には、前記第１および第４のスイッチ部が非導通状態になるとともに、前記第３のスイッチ部が導通状態になる、請求項１に記載の受信装置。
【請求項１６】
前記電源回路から前記内部電源電圧が出力され、かつ、前記外部電源電圧の供給を受けていない場合には、さらに、前記第２のスイッチ部が非導通状態になる、請求項１５に記載の受信装置。
【請求項１７】
受信システムであって、
高周波の受信信号が入力される第１の受信装置と、
信号線および接地線を有するケーブルと、
前記第１の受信装置と前記ケーブルを介して接続された第２の受信装置とを備え、
前記第２の受信装置は、前記ケーブルの信号線を介して前記第１の受信装置が受信した前記受信信号を受けるとともに、直流の外部電源電圧を生成して前記ケーブルの信号線を介して前記第１の受信装置に出力し、
前記ケーブルの接地線の一端は前記第１の受信装置の基準電位を与える接地ノードに接続され、前記ケーブルの接地線の他端は前記第２の受信装置の基準電位を与える接地ノードに接続され、
前記第１の受信装置は、
高周波の前記受信信号が入力される入力端子と、
前記ケーブルの信号線と接続されることによって、前記入力端子から入力された前記受信信号の少なくとも一部を前記第２の受信装置に出力するとともに、前記第２の受信装置から外部電源電圧の供給を受けるための出力端子と、
前記受信信号の少なくとも一部を受けて信号処理を行なう信号処理回路と、
前記信号処理回路を駆動するための内部電源電圧を生成する電源回路と、
前記入力端子から前記信号処理回路に至る第１の信号経路と、
前記入力端子の位置でまたは前記入力端子よりも前記信号処理回路寄りの位置で前記第１の信号経路と接続され、前記受信信号の少なくとも一部を前記出力端子に伝送させるための第２の信号経路と、
前記第２の信号経路上に設けられ、前記出力端子を介して受けた前記外部電源電圧によって動作する第１の高周波増幅器とを備えた受信システム。
【発明の詳細な説明】
【技術分野】
【０００１】
この発明は、テレビジョン用の放送信号などの高周波信号を受信するための受信装置および受信システムに関する。
【背景技術】
【０００２】
一般に、テレビジョン装置で放送信号を受信する場合には、アンテナで受信した放送信号はテレビジョン装置のＲＦ入力端子に入力される。テレビジョン装置は、入力された放送信号を検波してディスプレイに表示する。
【０００３】
ビデオデッキやＤＶＤレコーダなどのように受信機能は持つがディスプレイなどの画像表示部を持たない装置で放送信号を受信する場合には、その装置単独では使用されずテレビジョン装置と併用して使用される場合がほとんどである。この場合、受信した放送信号を分配する必要があるが、その方法には大きく分けて２つの方法がある。第１の方法は、これら複数の装置の外部に分配器を設け、分配器によって分配された信号を各受信装置に入力する方法である。第２の方法は、一方の受信装置の内部に信号分配手段を設けて、分配された一方の信号成分をその装置自身の受信信号として利用し、別の信号成分を外部に出力して、別の装置の受信信号として利用する方法である。
【０００４】
後者のように、受信装置の内部に設けられた信号分配手段によって、別の受信機の受信信号として使用できるように、受信信号の少なくとも一部を外部出力する機能を一般にループスルー機能とかスルーアウト機能などと呼ぶ。たとえば、ループスルー機能付きＤＶＤレコーダのＲＦ信号入力端子にアンテナで受けた放送信号を入力し、ＤＶＤレコーダであるチャンネルの番組を録画する。それと同時に、ＤＶＤレコーダのループスルー出力端子より出力される放送信号をテレビジョン装置のＲＦ信号入力端子に接続し、テレビジョン装置で別のチャンネルの番組を視聴するというように使用される。
【０００５】
特開２００３−１１０４４７号公報（特許文献１）の図４には、ループスルー機能を有する複数の衛星受信機４０〜６０が縦続接続された例が開示されている。アンテナに設けられた低ノイズブロック（ＬＮＢ）からの信号は、第１の端子を介して受信機に入力され増幅器で増幅される。増幅された信号は、第２の端子から後段の受信機に出力される。
【０００６】
特開２００７−２２８５２４号公報（特許文献２）にも、ループスルー機能を有する受信機の例が示されている。この文献に記載の装置では、アナログ用入力端子に入力された信号をそのまま出力するためのスルーアウト端子が設けられる。
【先行技術文献】
【特許文献】
【０００７】
【特許文献１】特開２００３−１１０４４７号公報
【特許文献２】特開２００７−２２８５２４号公報
【発明の概要】
【発明が解決しようとする課題】
【０００８】
ところで、現在、放送のデジタル化が進行しつつある。アナログ放送ではノイズやビートなど受信障害が発生するような悪い受信環境下でもデジタル放送ではある限界値近くまで受信障害のないきれいな画像を受信することができる。その一方で、悪い受信環境下でもアナログ放送の場合には、ノイズが発生するもののあるレベルまで受信できていたが、デジタル放送では受信限界値を超えると突然ブロックノイズやブラックアウトあるいはフリーズなどが発生して放送を受信できなくなってしまう。この結果、視聴者に不安感を与えてしまうことがある。このためデジタル放送用の受信機には、悪条件下においてでもできるだけ受信できるように、より高い受信感度が求められる。
【０００９】
ここで、受信感度とは、規定の受信品質を維持するという条件で、受信機に入力される信号レベルをどれくらい低いレベルまで低下させることが可能かという指標である。受信感度は雑音指数と密接な関係がある。雑音指数は入力側のＳ／Ｎ比（Signal  to  Noise  Ratio）を出力側のＳ／Ｎ比で除したものであり、雑音指数が低い方が受信感度も良い。
【００１０】
複数の機能ブロックが縦続接続された受信システム全体の雑音指数を考えると、後段の機能ブロックの利得よりも前段の機能ブロックの利得が高いほうが受信システム全体の雑音指数が低くなる。さらには、後段の機能ブロックの雑音指数よりも前段の機能ブロックの雑音指数が低いほうが受信システム全体の雑音指数が低くなる。したがって、受信システム全体における受信感度を上げるには、より前段の機能ブロックでの損失を減らしていくことが重要になる。
【００１１】
ループスルー機能を有する複数の受信装置を縦続接続した場合も同様に、後段の受信装置での受信品質を保つためには、前段の受信装置のループスルー機能によって信号をなるべく減衰させないようにすることが重要である。したがって、前段の受信装置では受信した放送信号をそのまま出力するよりも増幅器で増幅してから後段の受信装置に出力するほうが望ましい。
【００１２】
たとえば、前述の特開２００３−１１０４４７号公報（特許文献１）に記載の受信機の場合には、アンテナケーブルを介して第１の端子に入力された放送信号は、第１のコンデンサにより第１の端子に結合された増幅器に入力される。増幅器によって増幅された信号は、復調器に入力されて信号処理されるとともに、第２のコンデンサおよび第２の端子を介して後段の受信機に出力される。
【００１３】
しかしながら、この文献に記載の受信機の場合には、受信機内部の電源装置から供給された電源電圧によって増幅器および復調器が駆動されているので、受信機がスタンバイモード状態にあるときでもループスルー機能を維持するために電源装置から増幅器に電源電圧を供給する必要がある。このため、電力消費の点で問題がある。
【００１４】
したがって、この発明の目的は、ループスルー機能を有する受信装置において、受信した信号を高品質の状態で外部に出力するとともに消費電力の抑制を可能にすることである。
【課題を解決するための手段】
【００１５】
この発明は一局面において受信装置であって、入力端子と、出力端子と、信号処理回路と、電源回路と、第１の信号経路と、第２の信号経路と、第１の高周波増幅器とを備える。入力端子には、高周波の受信信号が入力される。出力端子は、入力端子から入力された受信信号の少なくとも一部を後段の受信装置に出力するとともに、後段の受信装置から外部電源電圧の供給を受けるために設けられる。信号処理回路は、受信信号の少なくとも一部を受けて信号処理を行なう。電源回路は、信号処理回路を駆動するための内部電源電圧を生成する。第１の信号経路は、入力端子から信号処理回路に至る信号経路である。第２の信号経路は、入力端子の位置でまたは入力端子よりも信号処理回路寄りの位置で第１の信号経路と接続され、受信信号の少なくとも一部を出力端子に伝送させるために設けられる。第１の高周波増幅器は、第２の信号経路上に設けられ、出力端子を介して受けた外部電源電圧によって動作する。
【００１６】
好ましくは、受信装置は、第２の信号経路上に設けられ、非導通状態のときに第２の信号経路を介した信号の伝送を遮断する第１のスイッチ部をさらに備える。
【００１７】
好ましくは、受信装置は、出力端子から第１の高周波増幅器への外部電源電圧の供給経路上に設けられ、非導通状態のときに第１の高周波増幅器への外部電源電圧の供給を遮断する第２のスイッチ部をさらに備える。
【００１８】
好ましくは、受信装置は、第３の信号経路と、第２の高周波増幅器とをさらに備える。第３の信号経路は、第１および第２の信号経路の接続点よりも信号処理回路寄りの位置で第１の信号経路と接続され、受信信号のうち信号処理回路に供給された残余の少なくとも一部を出力端子に伝送させるために設けられた信号経路である。第２の高周波増幅器は、第１および第２の信号経路の接続点と第１および第３の信号経路の接続点との間の第１の信号経路上に設けられ、内部電源電圧で動作する。
【００１９】
好ましくは、受信装置は、第１および第２の信号経路の接続点と第１および第３の信号経路の接続点との間の第１の信号経路上に設けられ、非導通状態のときに信号処理回路および第３の信号経路への受信信号の供給を遮断する第３のスイッチ部をさらに備える。
【００２０】
好ましくは、受信装置は、第２の信号経路と並列に設けられ、いかなる高周波増幅器も介さずに受信信号を入力端子から出力端子に伝送させるための第４の信号経路をさらに備える。
【００２１】
好ましくは、受信装置は、第４の信号経路上に設けられ、非導通状態のときに第４の信号経路を介した信号の伝送を遮断する第４のスイッチ部をさらに備える。
【００２２】
好ましくは、第１のスイッチ部は、外部電源電圧の供給を受けているか否かに基づいて導通状態または非導通状態に切替わる。
【００２３】
好ましくは、第１のスイッチ部は、さらに、電源回路から内部電源電圧が出力されているか否に基づいて導通状態または非導通状態に切替わる。
【００２４】
好ましくは、第２のスイッチ部は、外部電源電圧の供給を受けているか否かに基づいて導通状態または非導通状態に切替わる。
【００２５】
好ましくは、第２のスイッチ部は、さらに、電源回路から内部電源電圧が出力されているか否かに基づいて導通状態または非導通状態に切替わる。
【００２６】
好ましくは、第３のスイッチ部は、電源回路から内部電源電圧が出力されているか否かに基づいて導通状態または非導通状態に切替わる。
【００２７】
好ましくは、第４のスイッチ部は、外部電源電圧の供給を受けているか否かに基づいて導通状態または非導通状態に切替わる。
【００２８】
好ましくは、第４のスイッチ部は、さらに、電源回路から内部電源電圧が出力されているか否に基づいて導通状態または非導通状態に切替わる。
【００２９】
好ましくは、受信装置が、上記の第１のスイッチ部、第２のスイッチ部、第３の信号経路、第２の高周波増幅器、第３のスイッチ部、第４の信号経路、および第４のスイッチ部を備えている場合において、第１〜第４のスイッチ部は次の条件に従って、導通状態または非導通状態に切替わる。すなわち、電源回路から内部電源電圧が出力されておらず、かつ、外部電源電圧の供給を受けている場合には、第１および第２のスイッチ部が導通状態になるともに、第３および第４のスイッチ部が非導通状態になる。電源回路から内部電源電圧が出力されておらず、かつ、外部電源電圧の供給を受けていない場合には、第１および第３のスイッチ部が非導通状態になるとともに、第４のスイッチ部が導通状態になる。電源回路から内部電源電圧が出力されている場合には、第１および第４のスイッチ部が非導通状態になるとともに、第３のスイッチ部が導通状態になる。
【００３０】
好ましくは、上記の条件のうち、電源回路から内部電源電圧が出力され、かつ、外部電源電圧の供給を受けていない場合には、さらに、第２のスイッチ部が非導通状態になる。
【００３１】
この発明は他の局面において、受信システムであって、高周波の受信信号が入力される第１の受信装置と、信号線および接地線を有するケーブルと、第１の受信装置とケーブルを介して接続された第２の受信装置とを備える。第２の受信装置は、ケーブルの信号線を介して第１の受信装置が受信した受信信号を受けるとともに、直流の外部電源電圧を生成してケーブルの信号線を介して第１の受信装置に出力する。ケーブルの接地線の一端は第１の受信装置の基準電位を与える接地ノードに接続され、ケーブルの接地線の他端は第２の受信装置の基準電位を与える接地ノードに接続される。第１の受信装置は、入力端子と、出力端子と、信号処理回路と、電源回路と、第１の信号経路と、第２の信号経路と、第１の高周波増幅器とを含む。入力端子には、高周波の受信信号が入力される。出力端子は、ケーブルの信号線と接続されることによって、入力端子から入力された受信信号の少なくとも一部を第２の受信装置に出力するとともに、第２の受信装置から外部電源電圧の供給を受けるために設けられる。信号処理回路は、受信信号の少なくとも一部を受けて信号処理を行なう。電源回路は、信号処理回路を駆動するための内部電源電圧を生成する。第１の信号経路は、入力端子から信号処理回路に至る信号経路である。第２の信号経路は、入力端子の位置でまたは入力端子よりも信号処理回路寄りの位置で第１の信号経路と接続され、受信信号の少なくとも一部を出力端子に伝送させるために設けられた信号経路である。第１の高周波増幅器は、第２の信号経路上に設けられ、出力端子を介して受けた外部電源電圧によって動作する。
【発明の効果】
【００３２】
この発明によれば、入力端子から信号処理回路に至る第１の信号経路とは別に、受信信号の少なくとも一部を出力端子に伝送させるための第２の信号経路が設けられ、さらに、この第２の信号経路上には、後段の受信装置から供給された外部電源電圧によって動作する第１の高周波増幅器が設けられる。このため、受信した高周波信号を高品質の状態で外部に出力するとともに消費電力を抑制することができる。
【図面の簡単な説明】
【００３３】
【図１】この発明の実施の形態１による受信機Ａ（１０）の構成を示すブロック図である。
【図２】電源電圧Ｖｍ，Ｖａに応じたスイッチ部ＳＷ１〜ＳＷ６の動作を説明するための図である。
【図３】図１の第３のループスルー経路ＬＴＰ３に配置されるスイッチ部ＳＷ１の構成の一例を示す回路図である。
【図４】Ｎチャネルディプレッション型ＦＥＴの特性を示す図である。
【図５】第１のループスルー経路ＬＴＰ１に配置されるスイッチ部ＳＷ２，ＳＷ３の構成の一例を示す回路図である。
【図６】図１の高周波増幅器３への電源電圧Ｖａの供給経路に設けられたスイッチ部ＳＷ４の構成の一例を示す回路図である。
【図７】図１のスイッチ部ＳＷ５，ＳＷ６の構成の一例を示す回路図である。
【図８】図１の受信機において、ＲＦ入力端子１からループスルー出力端子２までの受信信号の通過特性の一例を示す図である。
【図９】図１の受信機において、ＲＦ入力端子１からループスルー出力端子２までの受信信号の通過特性の他の例を示す図である。
【図１０】図１の受信機Ａ（１０），Ｂ（１６）の比較例としての受信機Ａ（３１），Ｂ（４０）の構成を示すブロック図である。
【図１１】図１０のループスルー経路ＬＴＰ３に設けられたスイッチ部ＳＷ８の構成の一例を示す回路図である。
【図１２】この発明の実施の形態２による受信機Ａ（５０）の構成を示すブロック図である。
【図１３】図１２の切換え制御部９の構成の一例を示す回路図である。
【発明を実施するための形態】
【００３４】
以下、この発明の実施の形態について図面を参照して詳しく説明する。なお、同一または相当する部分には同一の参照符号を付して、その説明を繰返さない。
【００３５】
＜実施の形態１＞
［受信機の全体構成］
図１は、この発明の実施の形態１による受信機Ａ（１０）の構成を示すブロック図である。図１には、ループスルー機能を有する受信機Ａ（１０）と伝送ケーブル１１を介して接続される受信機Ｂ（１６）も併せて示される。受信機Ａ（１０）および受信機Ｂ（１６）によって受信システムが構成される。
【００３６】
（受信機Ａの構成）
図１を参照して、受信機Ａ（１０）は、ＲＦ入力端子１と、受信回路５と、ループスルー出力端子２と、高周波増幅器３，４と、分配器６と、電源スイッチ７と、内部電源回路８と、スイッチ部ＳＷ１〜ＳＷ６とを含む。
【００３７】
アンテナ（図示省略）で受信された高周波信号である放送信号は、ＲＦ入力端子１に入力される。受信回路５は、主信号経路ＭＳＰを介してＲＦ入力端子１と接続される。受信回路５は、入力された放送信号の少なくとも一部を検波するために設けられた信号処理回路である。
【００３８】
電源スイッチ７は、ユーザが受信機Ａを起動するためのスイッチである。内部電源回路８は、電源スイッチ７を介して受信機Ａ（１０）の外部の電源（たとえば、商用電源）と接続され、高周波増幅器４および受信回路５などを駆動するための直流の電源電圧Ｖｍを生成する。
【００３９】
ループスルー出力端子２は、伝送ケーブル１１の信号線を介して後段の受信機Ｂ（１６）のＲＦ入力端子１２と接続され、入力された放送信号の少なくとも一部を後段の受信機Ｂ（１６）に出力する。図１に示すように、受信機Ａ（１０）には３つのループスルー経路が設けられている。
【００４０】
第１のループスルー経路ＬＴＰ１は、ＲＦ入力端子１の位置でまたはＲＦ入力端子１よりも受信回路５寄りの位置で主信号経路ＭＳＰと接続される。第１のループスルー経路ＬＴＰ１を介して、ＲＦ入力端子１に入力された放送信号の少なくとも一部がループスルー出力端子２に伝送する。
【００４１】
第１のループスルー経路ＬＴＰ１上には、高周波増幅器３およびスイッチ部ＳＷ２，ＳＷ３が設けられる。図１の場合には、スイッチ部ＳＷ２は高周波増幅器３の入力側に設けられ、スイッチ部ＳＷ３は高周波増幅器３の出力側に設けられる。高周波増幅器３の電源端子は、スイッチ部ＳＷ４を介してループスルー出力端子２に接続される。出力端子２には後段の受信機Ｂから直流の電源電圧Ｖａが供給されている。スイッチ部ＳＷ４が導通状態のときには高周波増幅器３に電源電圧Ｖａが供給され、スイッチ部ＳＷ４が非導通状態のときには高周波増幅器３への電源電圧Ｖａの供給が遮断される。
【００４２】
第２のループスルー経路ＬＴＰ２は、分配器６で分配された一方の信号をループスルー出力端子２より出力するための信号経路である。分配器６は、主信号経路ＭＳＰ上で、第１のループスルー経路ＬＴＰ１との接続点ＮＤ１よりも受信回路５寄りの位置に設けられる。分配器６で分配された他方の信号は、受信回路５に入力される。
【００４３】
接続点ＮＤ１と分配器６との間の主信号経路ＭＳＰ上には、スイッチ部ＳＷ５と電源電圧Ｖｍで動作する高周波増幅器４とが設けられる。第２のループスルー経路ＬＴＰ２上にはスイッチ部ＳＷ６が設けられる。図１の場合、スイッチ部ＳＷ５は高周波増幅器４の入力側に設けられる。スイッチ部ＳＷ５，ＳＷ６が導通状態のとき、ＲＦ入力端子１に入力された放送信号は、高周波増幅器４によって増幅された後、一部が受信回路５に入力されるとともに残りが第２のループスルー経路ＬＴＰ２を介してループスルー出力端子２に伝送される。スイッチ部ＳＷ５，ＳＷ６が非導通状態のとき、受信回路５および第２のループスルー経路ＬＴＰ２への放送信号の供給が遮断される。
【００４４】
第３のループスルー経路ＬＴＰ３は、第１のループスルー経路ＬＴＰ１と並列に設けられる。第３のループスルー経路ＬＴＰ３は、いかなる高周波増幅器も介さずに、ＲＦ入力端子１に入力された放送信号の少なくとも一部をループスルー出力端子２に伝送する。
【００４５】
第３のループスルー経路ＬＴＰ３には、スイッチ部ＳＷ１が設けられる。スイッチ部ＳＷ１が導通状態のとき、ＲＦ入力端子１に入力された放送信号の少なくとも一部が、第３のループスルー経路ＬＴＰ３を介してループスルー出力端子２に伝送される。スイッチ部ＳＷ１が非導通状態のとき、第３のループスルー経路ＬＴＰ３を介した信号の伝送が遮断される。
【００４６】
（受信機Ｂの構成）
受信機Ｂ（１６）は、ＲＦ入力端子１２と、受信回路１５と、コイルＬ１と、スイッチ部ＳＷ７と、直流電源１３とを含む。
【００４７】
ＲＦ入力端子１２は、伝送ケーブル１１の信号線によって前段の受信機Ａ（１０）のループスルー出力端子２と接続される。伝送ケーブル１１の信号線を介して受信機Ａ（１０）から受信機Ｂ（１６）に放送信号が伝送されるとともに、受信機Ｂ（１６）から受信機Ａ（１０）に直流の電源電圧Ｖａが供給される。
【００４８】
なお、伝送ケーブル１１は信号線とともに接地線を有する。接地線の一端は受信機Ａ（１０）の基準電位を与える接地ノードに接続され、接地線の他端は受信機Ｂ（１６）の基準電位を与える接地ノードに接続される。これによって、受信機Ａ（１０）および受信機Ｂ（１６）のグランドが共通になる。
【００４９】
受信回路１５は、ＲＦ入力端子１２と接続され、ＲＦ入力端子１２を介して放送信号を受信する。受信回路１５は、受信した放送信号の信号処理を行なう。
【００５０】
コイルＬ１、スイッチ部ＳＷ７、および直流電源１３は、この順でＲＦ入力端子１２と接地ノードＧＮＤとの間に接続される。コイルＬ１は、高周波信号を遮断するために設けられる。直流電源１３で生成された電源電圧Ｖａは、受信機Ａ（１０）の第１のループスルー経路ＬＴＰ１に設けられた高周波増幅器３を駆動するために用いられる。
【００５１】
なお、衛星放送受信機や地上波受信機にはアンテナ駆動用電源を持っている受信機が多い。前段の受信機Ａ（１０）のループスルー端子を介して放送信号を受ける場合には、後段の受信機Ｂ（１６）からアンテナ駆動用の電源電圧を供給する必要がないため、このアンテナ駆動用の電源を高周波増幅器３の駆動用の電源として用いれば、直流電源１３を新たに設ける必要がない。
【００５２】
［スイッチ部ＳＷ１〜ＳＷ６の動作］
スイッチ部ＳＷ１〜ＳＷ６は、受信機Ａ（１０）の内部電源回路８から電源電圧Ｖｍが出力されているか否かという条件と、ループスルー出力端子２を介して後段の受信機から電源電圧Ｖａが供給されているか否かという条件とに基づいて、導通状態（オン）または非導通状態（オフ）に切替わる。以下、スイッチ部ＳＷ１〜ＳＷ６の動作について説明する。
【００５３】
図２は、電源電圧Ｖｍ，Ｖａに応じたスイッチ部ＳＷ１〜ＳＷ６の動作を説明するための図である。図２に示す真理値表において、電源電圧Ｖｍ，Ｖａについて、「１」のとき電源電圧が供給されていることを意味し、「０」のとき電源電圧が供給されていないことを意味する。スイッチ部ＳＷ１〜ＳＷ６について、「１」のときオン状態を意味し、「０」のときオフ状態を意味する。
【００５４】
電源電圧Ｖｍ，Ｖａが共に供給されていないときには、高周波増幅器３，４は動作できないので、第３のループスルー経路ＬＴＰ３を用いて放送信号を後段に出力する必要がある。このため、スイッチ部ＳＷ１のみオン状態になり、他のスイッチ部ＳＷ２〜ＳＷ６は全てオフ状態となる。なお、電源電圧Ｖｍが供給されていない場合は、受信機Ａ（１０）の電源スイッチ７がオフ状態であり、内部電源回路８が動作していない場合に相当する。電源電圧Ｖａが供給されていない場合は、受信機Ｂ（１６）が増幅器駆動用の直流電源１３を有していない場合か、もしくは、増幅器駆動用の直流電源１３を有していても、使用者がスイッチ部ＳＷ７をオフ状態に設定して使用している場合に相当する。
【００５５】
電源電圧Ｖｍが供給されていないが、後段の受信機Ｂ（１６）から電源電圧Ｖａが供給されているときには、高周波増幅器３を動作させることによって受信機Ｂ（１６）に入力される信号強度を増やすことができるので、第１のループスルー経路ＬＴＰ１が用いられる。すなわち、スイッチ部ＳＷ２，ＳＷ３，ＳＷ４がオン状態になり、残りのスイッチ部ＳＷ１，ＳＷ５，ＳＷ６がオフ状態になる。なお、このような電源電圧Ｖｍ，Ｖａの供給状態は、受信機Ａ（１０）が電源オフ状態であり、かつ、受信機Ｂ（１６）の直流電源１３から電源電圧Ｖａが受信機Ａ（１０）に供給される場合に相当する。
【００５６】
電源電圧Ｖｍが供給されている場合には、後段の受信機Ｂ（１６）からの電源電圧Ｖａの供給の有無にかかわらず、高周波増幅器４を動作できるので第２のループスルー経路ＬＴＰ２が用いられる。すなわち、スイッチ部ＳＷ５，ＳＷ６がオン状態になり、残りのスイッチ部ＳＷ１〜ＳＷ４が全てオフ状態となる。これは受信機Ａ（１０）の電源スイッチ７がオン状態であり、受信機Ａ（１０）が使用中の場合に相当する。
【００５７】
なお、上記のループスルー経路の切換えにおいて、受信機Ａ（１０）が電源オフの場合には、スイッチ部ＳＷ５，ＳＷ６によって受信回路５はループスルー経路ＬＴＰ１またはＬＴＰ３から完全に切り離される。このため、オフ状態の受信回路５の影響で後段の受信機に供給される信号のＶＳＷＲ（電圧定在波比）が増加したり、周波数特性が劣化したりすることはない。
【００５８】
［スイッチ部ＳＷ１〜ＳＷ６の具体的な回路例］
以下、図２の真理値表を実現することができるスイッチ部ＳＷ１〜ＳＷ６の構成例について説明する。
【００５９】
（スイッチ部ＳＷ１の回路例）
図３は、図１の第３のループスルー経路ＬＴＰ３に配置されるスイッチ部ＳＷ１の構成の一例を示す回路図である。
【００６０】
図３を参照して、スイッチ部ＳＷ１は、端子１７〜２０と、ディプレッション型のＮチャネルＦＥＴ（Field  Effect  Transistor）Ｑ１と、コンデンサＣ１，Ｃ２と、抵抗素子Ｒ１〜Ｒ４と、ダイオードＤ１〜Ｄ３とを含む。高周波信号は、端子１７，１８のいずれか一方に入力されて他方から出力される（すなわち、高周波信号の通過方向はどちらでもよい）。端子１９には電源電圧Ｖａが印加され、端子２０には電源電圧Ｖｍが印加される。以下では、ＦＥＴＱ１の主電極のうち、端子１８側の主電極をソースとし、端子１７側の主電極をドレインとする。ただし、ＦＥＴＱ１は構造的に対称であるので、端子１７側の主電極をソースとし、端子１８側の主電極をドレインとしてもよい。
【００６１】
まず、これらの構成要素間の接続について説明する。コンデンサＣ１、ＦＥＴＱ１、およびコンデンサＣ２は、この順で端子１７，１８間に接続される。ダイオードＤ１のアノードはＦＥＴＱ１のゲートに接続され、カソードは接地ノードＧＮＤに接続される。抵抗素子Ｒ１およびダイオードＤ２は、ＦＥＴＱ１およびコンデンサＣ２の接続ノードＮＤ２と端子１９との間に、ダイオードＤ２のアノードが端子１９側となるように直列に接続される。ダイオードＤ３のカソードは、抵抗素子Ｒ１およびダイオードＤ２の接続ノードＮＤ３に接続され、アノードは端子２０に接続される。抵抗素子Ｒ２は、接続ノードＮＤ３とＦＥＴＱ１のゲートとの間に接続される。抵抗素子Ｒ３は、接続ノードＮＤ３と接地ノードＧＮＤとの間に接続される。抵抗素子Ｒ４は、端子２０と接地ノードＧＮＤとの間に接続される。
【００６２】
図４は、Ｎチャネルディプレッション型ＦＥＴの特性を示す図である。図４のＸ軸はＦＥＴのソース電位を基準にしたゲート電位（ゲート・ソース間電圧Ｖｇｓ）を表わし、Ｙ軸はドレイン電流Ｉｄを表わす。図中のＶｐはピンチオフ電圧を意味し、このピンチオフ電圧Ｖｐより低いゲート・ソース間電圧ＶｇｓであればＦＥＴのドレイン電流Ｉｄは流れずトランジスタはオフする。ゲート・ソース間電圧Ｖｇｓが０Ｖの場合はドレイン電流Ｉｄが流れる（トランジスタはオン状態）。
【００６３】
再び図３を参照して、図３に示す回路の動作を説明する。
まず、端子１９，２０に電源電圧Ｖａ，Ｖｍが供給されていない場合には、ＦＥＴＱ１のゲートとソースはともに０Ｖであり、ゲート・ソース間電圧Ｖｇｓが０ＶとなってＦＥＴＱ１はオン状態となる。
【００６４】
端子１９に電源電圧Ｖａが供給され、端子２０に電源電圧Ｖｍが供給されていない場合には、ダイオードＤ１，Ｄ２がオンするので、ＦＥＴＱ１のゲート電位は約０．７［Ｖ］となり、ソース電位は（Ｖａ−０．７）［Ｖ］となる。したがって、ゲート・ソース間電圧Ｖｇｓは、
Ｖｇｓ＝０．７−（Ｖａ−０．７）＝１．４−Ｖａ［Ｖ］
となる。よって、１．４−ＶａがＦＥＴのピンチオフ電圧Ｖｐより低くなるような電源電圧Ｖａの値であればＦＥＴＱ１はオフ状態となる。
【００６５】
端子１９に電源電圧Ｖａが供給されておらず、端子２０に電源電圧Ｖｍが供給されている場合には、ダイオードＤ１，Ｄ３がオンするので、ＦＥＴＱ１のゲート電位は約０．７［Ｖ］となり、ソース電位は（Ｖｍ−０．７）［Ｖ］となる。したがって、ゲート・ソース間電圧Ｖｇｓは、
Ｖｇｓ＝０．７−（Ｖｍ−０．７）＝１．４−Ｖｍ［Ｖ］
となる。よって、１．４−ＶｍがＦＥＴのピンチオフ電圧Ｖｐより低くなるような電源電圧Ｖｍの値であればＦＥＴＱ１はオフ状態となる。
【００６６】
端子１９に電源電圧Ｖａが供給され、端子２０に電源電圧Ｖｍが供給されている場合には、ダイオードＤ１がオンするので、ＦＥＴＱ１のゲート電位は約０．７Ｖになる。さらに、ダイオードＤ２およびダイオードＤ３のうちの少なくとも一方のダイオードがオンする。１．４−Ｖａもしくは１．４−ＶｍがＦＥＴＱ１のピンチオフ電圧Ｖｐより低くなるように電源電圧Ｖｍ，Ｖａの値が設定されていればＦＥＴＱ１はオフ状態となる。
【００６７】
以上のとおり、図２の真理値表に示したように、電源電圧Ｖａ，Ｖｍが共に供給されないときのみスイッチ部ＳＷ１がオン状態になる。
【００６８】
（スイッチ部ＳＷ２，ＳＷ３の回路例）
図５は、第１のループスルー経路ＬＴＰ１に配置されるスイッチ部ＳＷ２，ＳＷ３の構成の一例を示す回路図である。スイッチ部ＳＷ２，ＳＷ３の構成は同じである。
【００６９】
図５を参照して、スイッチ部ＳＷ２（またはＳＷ３）は、端子２１〜２４と、ダイオードＤ４と、コンデンサＣ３，Ｃ４と、抵抗素子Ｒ５〜Ｒ８とを含む。高周波信号は、端子２１，２２のいずれか一方に入力されて他方から出力される（すなわち、高周波信号の通過方向はどちらでもよい）。端子２３には電源電圧Ｖａが印加され、端子２４には電源電圧Ｖｍが印加される。
【００７０】
まず、これらの構成要素間の接続について説明する。ダイオードＤ４のアノードＮＤ１１は、コンデンサＣ３を介して端子２１に接続されるとともに、抵抗素子Ｒ５を介して端子２３に接続される。ダイオードＤ４のアノードＮＤ１１は、さらに、抵抗素子Ｒ６を介して接地ノードＧＮＤに接続される。ダイオードＤ４のカソードＮＤ１２は、コンデンサＣ４を介して端子２２に接続されるとともに、抵抗素子Ｒ７を介して端子２４に接続される。ダイオードＤ４のカソードＮＤ１２は、さらに、抵抗素子Ｒ８を介して接地ノードＧＮＤに接続される。
【００７１】
ここで、抵抗素子Ｒ５〜Ｒ８の抵抗値は、端子２３，２４に電源電圧Ｖａ，Ｖｍが印加されているとき、ダイオードＤ４のアノードＮＤ１１の電位Ｖ１がカソードＮＤ１２の電位Ｖ２よりも小さくなるように、すなわち、Ｖ１＜Ｖ２の関係を満たすように設定される。
【００７２】
次に、図５に示す回路の動作について説明する。
まず、端子２３，２４に電源電圧Ｖａ，Ｖｍが供給されていない場合には、ダイオードＤ４はオフ状態になる。
【００７３】
端子２３に電源電圧Ｖａが供給され、端子２４に電源電圧Ｖｍが供給されていない場合には、ダイオードＤ４は順バイアスとなるのでオンする。
【００７４】
端子２３に電源電圧Ｖａが供給されておらず、端子２４に電源電圧Ｖｍが供給されている場合には、ダイオードＤ４は逆バイアスとなるのでオフする。
【００７５】
端子２３に電源電圧Ｖａが供給され、端子２４に電源電圧Ｖｍが供給されている場合には、アノードＮＤ１１の電位Ｖ１およびカソードＮＤ１２の電位Ｖ２について、Ｖ１＜Ｖ２の関係が成立するので、ダイオードＤ４は逆バイアスとなるのでオフする。
【００７６】
以上のとおり、図２の真理値表で示したように、端子２３に電源電圧Ｖａが供給され、かつ、端子２４に電源電圧Ｖｍが供給されていないときのみ、スイッチ部ＳＷ２およびＳＷ３がオン状態になる。
【００７７】
（スイッチ部ＳＷ４の回路例）
図６は、図１の高周波増幅器３への電源電圧Ｖａの供給経路に設けられたスイッチ部ＳＷ４の構成の一例を示す回路図である。
【００７８】
図６を参照して、スイッチ部ＳＷ４は、端子２５〜２７と、ＰＮＰ型のバイポーラトランジスタＱ２と、ＮＰＮ型のバイポーラトランジスタＱ３，Ｑ４と、抵抗素子Ｒ９〜Ｒ１４とを含む。端子２５には電源電圧Ｖｍが印加され、端子２６には電源電圧Ｖａが印加される。端子２７は、高周波増幅器３の電源端子と接続される。
【００７９】
まず、これらの構成要素間の接続について説明する。トランジスタＱ２のエミッタは端子２６に接続され、コレクタは端子２７に接続され、ベースは抵抗素子Ｒ１３を介して端子２６に接続される。トランジスタＱ３のコレクタは抵抗素子Ｒ１１を介して端子２６に接続され、エミッタは接地ノードＧＮＤに接続され、ベースは抵抗素子Ｒ１０を介して端子２５に接続される。端子２５は、抵抗素子Ｒ９を介して接地ノードＧＮＤに接続される。トランジスタＱ４のコレクタは抵抗素子Ｒ１４を介してトランジスタＱ２のベースに接続され、エミッタは接地ノードＧＮＤに接続され、ベースは抵抗素子Ｒ１２を介してトランジスタＱ３のコレクタと接続される。
【００８０】
次に、図６に示す回路の動作について説明する。
まず、端子２５，２６に電源電圧Ｖｍ，Ｖａが供給されていない場合には、トランジスタＱ２はオフ状態になる。
【００８１】
端子２５に電源電圧Ｖｍが供給されておらず、端子２６に電源電圧Ｖａが供給されている場合には、トランジスタＱ３はオフし、トランジスタＱ４はオンするので、トランジスタＱ２はオン状態になる。
【００８２】
端子２５に電源電圧Ｖｍが供給され、端子２６に電源電圧Ｖａが供給されていない場合には、トランジスタＱ２はオフ状態になる。
【００８３】
端子２５に電源電圧Ｖｍが供給され、端子２６に電源電圧Ｖａが供給されている場合には、トランジスタＱ３はオンし、トランジスタＱ４はオフするので、トランジスタＱ２はオフする。
【００８４】
以上のとおり、図２の真理値表で示したように、電源電圧Ｖｍが供給されておらず、かつ、電源電圧Ｖａが供給されている場合にのみスイッチ部ＳＷ４がオン状態になるので、電源電圧Ｖａが高周波増幅器３に供給され、これによって、高周波増幅器３が動作する。
【００８５】
（スイッチ部ＳＷ５，ＳＷ６の回路例）
図７は、図１のスイッチ部ＳＷ５，ＳＷ６の構成の一例を示す回路図である。スイッチ部ＳＷ５，ＳＷ６の構成は同じである。
【００８６】
図７を参照して、スイッチ部ＳＷ５（またはＳＷ６）は、端子４４〜４６と、ダイオードＤ６と、コンデンサＣ７，Ｃ８と、抵抗素子Ｒ１８，Ｒ１９とを含む。高周波信号は、端子４４，４６のいずれか一方に入力されて他方から出力される（すなわち、高周波信号の通過方向はどちらでもよい）。端子４５には電源電圧Ｖｍが印加される。
【００８７】
まず、これらの構成要素間の接続について説明する。ダイオードＤ６のアノードは、コンデンサＣ７を介して端子４４に接続されるとともに、抵抗素子Ｒ１８を介して端子４５に接続される。ダイオードＤ６のカソードは、コンデンサＣ８を介して端子４６に接続されるとともに、抵抗素子Ｒ１９を介して接地ノードＧＮＤに接続される。
【００８８】
次に、図７に示す回路の動作について説明する。端子４５に電源電圧Ｖｍが供給されている場合にはダイオードＤ６はオンし、端子４５に電源電圧Ｖｍが供給されていない場合にはダイオードＤ６はオフする。したがって、スイッチ部ＳＷ５，ＳＷ６は、電源電圧Ｖｍが供給されているときオン状態になり、電源電圧Ｖｍが供給されていないときオフ状態になる。
【００８９】
［ループスルー経路の通過特性］
（電源電圧Ｖａが供給され、Ｖｍが供給されていない場合）
図８は、図１の受信機において、ＲＦ入力端子１からループスルー出力端子２までの受信信号の通過特性の一例を示す図である。図８には、図１において後段の受信機Ｂ（１６）から電源電圧Ｖａが供給され、内部電源回路８によって電源電圧Ｖｍが生成されていない場合、すなわち、第１のループスルー経路ＬＴＰ１を介して受信信号が伝送される場合が示される。受信信号の周波数範囲は、４７ＭＨｚから８６２ＭＨｚである。
【００９０】
図８に示すように入出力端子１，２間の利得は０ｄＢであり、第１のループスルー経路ＬＴＰ１に設けられた高周波増幅器３で信号を増幅することによって、損失がほとんどない状態で受信信号を伝送することができる。なお、高周波増幅器３の利得をさらに増加させれば、入出力端子１，２間に正の利得を持たせることもできる。
【００９１】
（電源電圧Ｖａ，Ｖｍが供給されていない場合）
図９は、図１の受信機において、ＲＦ入力端子１からループスルー出力端子２までの受信信号の通過特性の他の例を示す図である。図９には、図１において後段の受信機Ｂ（１６）から電源電圧Ｖａが供給されず、内部電源回路８によって電源電圧Ｖｍも生成されていない場合、すなわち、第３のループスルー経路ＬＴＰ３を介して受信信号が伝送される場合が示される。受信信号の周波数範囲は、４７ＭＨｚから８６２ＭＨｚであり、図８と同じである。
【００９２】
第３のループスルー経路ＬＴＰ３に設けられたスイッチ部ＳＷ１を構成するＦＥＴＱ１は、オン状態のときドレイン・ソース間にオン抵抗が存在する。このせいで、図９に示すように、約２ｄＢの損失が生じる。
【００９３】
［比較例の受信機］
以下、第１のループスルー経路ＬＴＰ１が設けられていない受信機の例を比較例として挙げて、図１で説明した第１のループスルー経路ＬＴＰ１が設けられた受信機Ａ（１０）と比較する。
【００９４】
図１０は、図１の受信機Ａ（１０），Ｂ（１６）の比較例としての受信機Ａ（３１），Ｂ（４０）の構成を示すブロック図である。
【００９５】
図１０の受信機Ａ（３１）は、第１のループスルー経路ＬＴＰ１と、この経路上のスイッチ部ＳＷ２，ＳＷ３および高周波増幅器３とが設けられていない点で図１の受信機Ａ（１０）と異なる。さらに、図１０の受信機Ｂ（４０）は、コイルＬ１、スイッチ部ＳＷ７、および直流電源１３が設けられていない点で図１の受信機Ｂ（１６）と異なる。図１０のその他の点は、ループスルー経路ＬＴＰ３に設けられたスイッチ部ＳＷ８の構成を除いて、図１の場合と同じである。図１０において、図１と対応する部分には同一の参照符号を付して説明を繰返さない。
【００９６】
図１１は、図１０のループスルー経路ＬＴＰ３に設けられたスイッチ部ＳＷ８の構成の一例を示す回路図である。
【００９７】
図１１を参照して、スイッチ部ＳＷ８は、端子４１〜４３と、ディプレッション型のＮチャネルＦＥＴＱ５と、コンデンサＣ５，Ｃ６と、抵抗素子Ｒ１５〜Ｒ１７と、ダイオードＤ５とを含む。高周波信号は、端子４１，４３のいずれか一方に入力されて他方から出力される（すなわち、高周波信号の通過方向はどちらでもよい）。端子４２には電源電圧Ｖｍが印加される。以下では、ＦＥＴＱ５の主電極のうち、端子４３側の主電極をソースとし、端子４１側の主電極をドレインとする。ただし、ＦＥＴＱ５は構造的に対称であるので、端子４１側の主電極をソースとし、端子４３側の主電極をドレインとしてもよい。
【００９８】
まず、これらの構成要素間の接続について説明する。コンデンサＣ５、ＦＥＴＱ５、およびコンデンサＣ６は、この順で端子４１，４３間に接続される。ダイオードＤ５のアノードはＦＥＴＱ５のゲートに接続され、カソードは接地ノードＧＮＤに接続される。抵抗素子Ｒ１５は、ＦＥＴＱ５およびコンデンサＣ６の接続ノードＮＤ４と端子４２との間に接続される。抵抗素子Ｒ１６は、端子４２とＦＥＴＱ５のゲートとの間に接続される。抵抗素子Ｒ１７は、端子４２と接地ノードＧＮＤとの間に接続される。
【００９９】
次に、図１１に示す回路の動作について説明する。まず、端子４２に電源電圧Ｖｍが供給されている場合、ＦＥＴＱ５のソース電位は電源電圧Ｖｍに等しくなり、ＦＥＴＱ５のゲート電位はダイオードＤ５がオンするため約０．７Ｖの電位となる。したがって、ＦＥＴＱ５のゲート・ソース間電圧Ｖｇｓは（０．７−Ｖｍ）［Ｖ］に等しくなる。ここで、図４で説明したピンチオフ電圧Ｖｐより（０．７−Ｖｍ）が十分低くなるようにしておけばＦＥＴ（Ｑ５）はオフし、端子４１，端子４３間には信号伝送がない。
【０１００】
一方、端子４２に電源電圧Ｖｍが供給されていない場合、端子４２は抵抗素子Ｒ１７を介して接地ノードＧＮＤに接続されているため、端子４２の電位は０Ｖになる。したがって、ＦＥＴＱ５のソース電位およびゲート電位はともに０Ｖとなり、ゲート・ソース間電圧Ｖｇｓが０Ｖとなる。この結果、ＦＥＴＱ５がオン状態となることによって、端子４１，４３間を信号が伝送可能になる。
【０１０１】
このように、図１０のスイッチ部ＳＷ８は、電源電圧Ｖｍが供給されているときオフ状態になり、電源電圧Ｖｍが供給されていないときオン状態なる。
【０１０２】
再び図１０を参照して、比較例の受信機Ａ（３１）の動作について説明する。
まず、受信機Ａ（３１）の電源スイッチ７がオンの場合、スイッチ部ＳＷ５およびＳＷ６はオン状態になり、スイッチ部ＳＷ８はオフ状態になるので、ＲＦ入力端子１に入力された放送信号はスイッチ部ＳＷ５を介して高周波増幅器４に入力される。増幅された信号は分配器６で分配され、分配された信号のひとつは受信回路５に伝送され、受信回路５によって、希望するチャンネルの信号が検波される。分配された別の信号はループスルー経路ＬＴＰ２に設けられたスイッチ部ＳＷ６を介してループスルー出力端子２に伝送され、ループスルー出力端子２から伝送ケーブル１１を介して後段の受信機Ｂ（４０）のＲＦ入力端子１２に入力される。
【０１０３】
逆に、受信機Ａ（３１）の電源スイッチ７がオフの場合、内部電源回路８に電源供給されないため、高周波増幅器４や受信回路５は動作しない。スイッチ部ＳＷ８はオン状態になり、スイッチ部ＳＷ５，ＳＷ６はオフ状態になる。ＲＦ入力端子１に入力された放送信号は、ループスルー経路ＬＴＰ３に設けられたスイッチ部ＳＷ８を介してループスルー出力端子２に伝送される。伝送された信号は、伝送ケーブル１１を介して受信機Ｂ（４０）のＲＦ入力端子１２に入力される。
【０１０４】
後者の場合には、ループスルー経路ＬＴＰ３を介して信号が伝送するので、図９、図１１で説明したように、スイッチ部ＳＷ８に設けられたＦＥＴＱ５のオン抵抗によって約２ｄＢの損失があるので信号品質が劣化してしまうという問題がある。この損失を回避するために、受信機Ａ（３１）の受信回路５が動作中でない場合でも高周波増幅器４に常に待機電力を供給するようにすれば、ループスルー経路ＬＴＰ２を介して放送信号を出力することができるが、省電力の観点から好ましくない。高周波増幅器４に常に電力を供給し続けると増幅素子の寿命が短くなるので信頼性の劣化にもつながる。
【０１０５】
実施の形態１による受信機Ａ（１０）では、図１で説明したように、第１のループスルー経路ＬＴＰ１に高周波増幅器３が設けられるとともに、高周波増幅器３に供給する駆動電圧が後段の受信機Ｂ（１６）から供給される。さらに、受信機Ａ（１０）の内部電源回路８から電源電圧Ｖｍが出力されているか否かという条件と、後段の受信機Ｂ（１６）から電源電圧Ｖａが供給されているか否かという条件とに基づいてループスルー経路の切換えが行なわれる。このため、電源電圧Ｖｍ，Ｖａの供給の状況に応じて、消費電力と後段の受信機に出力する信号の品質とを最適化することができる。この結果、高性能かつ低消費電力の受信システムを構築できる。
【０１０６】
＜実施の形態２＞
図１２は、この発明の実施の形態２による受信機Ａ（５０）の構成を示すブロック図である。
【０１０７】
図１２の受信機Ａ（５０）は、切換え制御部９をさらに含む点で図１の受信機Ａ（１０）と異なる。切換え制御部９は、電源電圧Ｖｍ，Ｖａが供給されているか否かに基づいて、出力する制御電圧Ｖｓ１，Ｖｓ２をハイ（Ｈ）レベルまたはロー（Ｌ）レベルに切換える。なお、切換え制御部９は、電源スイッチ７がオフ状態の場合でも、すなわち、内部電源回路８が動作していない場合でも、待機電源から電源供給を受けて動作するように構成される。
【０１０８】
図１２の受信機Ａ（５０）は、さらに、スイッチ部ＳＷ１〜ＳＷ４に代えてスイッチ部ＳＷ１１〜ＳＷ１４を含む点で図１の受信機Ａ（１０）と異なる。スイッチ部ＳＷ１１〜ＳＷ１４は、たとえば、ゲート電位がハイ（Ｈ）レベルのときドレイン-ソース間が導通状態（オン状態）となり、ゲート電位がロー（L）レベルのときドレイン-ソース間が非導通状態（オフ状態）となるエンハンスメント型のＮチャネルＦＥＴによって構成される。
【０１０９】
図１３は、図１２の切換え制御部９の構成の一例を示す回路図である。図１３を参照して、切換え制御部９は、端子６１〜６４と、ＮＯＲゲート６５と、ＡＮＤゲート６６と、インバータ６７とを含む。
【０１１０】
端子６１には電源電圧Ｖｍが印加され、端子６２には電源電圧Ｖａが印加される。端子６３からはスイッチ部ＳＷ１１を構成するＦＥＴのゲートに制御電圧Ｖｓ１が出力される。端子６４からはスイッチ部ＳＷ１２，ＳＷ１３，ＳＷ１４を構成するＦＥＴのゲートに制御電圧Ｖｓ２が出力される。
【０１１１】
ＮＯＲゲート６５の第１の入力ノードは、端子６１と接続されることによって電源電圧Ｖｍを受ける。ＮＯＲゲート６５の第２の入力ノードは、端子６２と接続されることによって電源電圧Ｖａを受ける。ＮＯＲゲート６５の出力ノードは端子６３と接続される。
【０１１２】
ＡＮＤゲート６６の第１の入力ノードは、インバータ６７を介して端子６１と接続されることによって、電源電圧Ｖｍが供給されているときにＬレベルの信号を受け、電源電圧Ｖｍが供給されていないときにＨレベルの信号を受ける。ＡＮＤゲート６６の第２の入力ノードは、端子６２と接続されることによって電源電圧Ｖａを受ける。ＡＮＤゲート６６の出力ノードは端子６４と接続される。
【０１１３】
以上の構成によって、電源電圧Ｖｍ，Ｖａが共に供給されていないときには、端子６３からＨレベルの信号が出力され、端子６４からＬレベルの信号が出力される。この結果、スイッチ部ＳＷ１１はオン状態になり、スイッチ部ＳＷ１２，ＳＷ１３，ＳＷ１４はオフ状態になる。
【０１１４】
電源電圧Ｖｍが供給されていないが、電源電圧Ｖａが供給されている場合には、端子６３からＬレベルの信号が出力され、端子６４からＨレベルの信号が出力される。この結果、スイッチ部ＳＷ１１はオフ状態になり、スイッチ部ＳＷ１２，ＳＷ１３，ＳＷ１４はオン状態になる。
【０１１５】
電源電圧Ｖｍが供給されているが、電源電圧Ｖａが供給されていない場合には、端子６３，６４の両方からＬレベルの信号が出力される。この結果、スイッチ部ＳＷ１１〜ＳＷ１４はオフ状態になる。
【０１１６】
電源電圧Ｖｍ，Ｖａが共に供給されている場合にも、端子６３，６４の両方からＬレベルの信号が出力される。この結果、スイッチ部ＳＷ１１〜ＳＷ１４はオフ状態になる。
【０１１７】
このように、図１３の構成の切換え制御部９によって、図２と同じスイッチ部の制御が実現できていることがわかる（ただし、図２のスイッチ部ＳＷ１〜ＳＷ４は、スイッチ部ＳＷ１１〜ＳＷ１４にそれぞれ対応する）。したがって、実施の形態１の場合と同様に、電源電圧Ｖｍ，Ｖａの供給の状況に応じて、消費電力と後段の受信機に出力する信号の品質とを最適化することができる。ただし、実施の形態２の場合には、受信機Ａ（４０）が未使用の場合であっても、切換え制御部９に供給する待機電力が必要になる。
【０１１８】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【０１１９】
１，１２  ＲＦ入力端子、２  ループスルー出力端子、３，４  高周波増幅器、５，１５  受信回路、６  分配器、７  電源スイッチ、８  内部電源回路、９  切換え制御部、１０，１６，５０  受信機、１１  伝送ケーブル、１３  直流電源、ＬＴＰ１，ＬＴＰ２，ＬＴＰ３  ループスルー経路、ＭＳＰ  主信号経路、ＳＷ１〜ＳＷ８，ＳＷ１１〜ＳＷ１４  スイッチ部、Ｖａ，Ｖｍ  電源電圧。
【図１】
2013009226.tif 000003
【図２】
2013009226.tif 000004
【図３】
2013009226.tif 000005
【図４】
2013009226.tif 000006
【図５】
2013009226.tif 000007
【図６】
2013009226.tif 000008
【図７】
2013009226.tif 000009
【図８】
2013009226.tif 000010
【図９】
2013009226.tif 000011
【図１０】
2013009226.tif 000012
【図１１】
2013009226.tif 000013
【図１２】
2013009226.tif 000014
【図１３】
2013009226.tif 000015